(57)【要約】      （修正有）【課題】施工部材を施工する際に、固定具を落下させにくくできる施工部材を提供する。【解決手段】施工部材１は、壁下地に固定される左右方向Ｘに延びた長尺状の固定片２を備える。固定片２は、壁下地に取り付けられた仮固定用の固定具で仮固定される仮固定部２１を備える。仮固定部２１は、壁下地に対して固定片２を上下方向Ｙに位置調整可能な位置調整部２１２と、位置調整部２１２に対して仮固定用の固定具を導入可能な導入部２１１と、を有する。【選択図】図１
2020051152.tif 000002
【特許請求の範囲】
【請求項１】
壁下地に固定される左右方向に延びた長尺状の固定片を備え、
前記固定片は、前記壁下地に固定された仮固定用の固定具で仮固定される仮固定部を備え、
前記仮固定部は、
前記壁下地に対して前記固定片を上下方向に位置調整可能な位置調整部と、
前記位置調整部に対して前記仮固定用の固定具を導入可能な導入部と、
を有する
施工部材。
【請求項２】
前記仮固定部は、前記固定片の上端に開口する上導入部を有する上仮固定部と、前記固定片の下端に開口する下導入部を有する下仮固定部とを含む、
請求項１記載の施工部材。
【請求項３】
前記仮固定部は、前記左右方向に間隔を空けて複数形成されている、
請求項１又は請求項２に記載の施工部材。
【請求項４】
前記仮固定部は、前記仮固定用の固定具に引っ掛け可能な引っ掛け部を有する、
請求項１〜３のいずれか一つに記載の施工部材。
【請求項５】
前記施工部材は、前記固定片が前記壁下地に固定された状態で、該壁下地に設置される壁材を下方から支持する壁材設置用のスタータである、
請求項１〜４のいずれか一つに記載の施工部材。
【請求項６】
請求項１〜５のいずれか一項の施工部材を前記壁下地に固定する方法であって、
前記壁下地に固定された前記仮固定用の固定具を前記導入部から前記位置調整部に導入する工程と、
前記仮固定用の固定具が通された前記固定片の上下方向のいずれかの端部を、前記壁下地に予め付された位置決め用のマークに合わせて前記仮固定部を仮固定する工程と、
前記仮固定された前記固定片を本固定用の固定具で本固定する工程と、
を含む、
施工部材の固定方法。
【発明の詳細な説明】
【技術分野】
【０００１】
本発明は、施工部材、及び施工部材の固定方法に関する。
【背景技術】
【０００２】
従来、壁材を施工する現場では、予め、土台等の壁下地に施工部材を設置することが行われている。
【０００３】
このような施工部材として、例えば、特許文献１には、土台に取り付け固定される平板部と、平板部において長手方向に沿って形成された複数の貫通穴とを備えるスタータ金具が開示されている。
【先行技術文献】
【特許文献】
【０００４】
【特許文献１】特開２０１６−１９１２３２号公報
【発明の概要】
【発明が解決しようとする課題】
【０００５】
しかし、特許文献１のようなスタータ金具を壁下地に取り付ける際、施工者は、一方のの手で、所定の位置に合わせた状態のスタータ金具を壁下地に押さえつけながら、他方の手で固定具を貫通穴に通して壁下地に取り付ける必要があった。そうすると、ネジ等の固定具は、例えばドリルビット先端で壁下地に押し付けられるのみであり、固定具がドリルビット先端から外れて落下し、施工に手間がかかった。
【０００６】
本発明の目的は、施工部材を施工する際に、固定具を落下させにくくできる施工部材、及び施工部材の固定方法を提供することである。
【課題を解決するための手段】
【０００７】
本発明の一態様に係る施工部材は、壁下地に固定される左右方向に延びた長尺状の固定片を備え、前記固定片は、前記壁下地に固定された仮固定用の固定具で仮固定される仮固定部を備え、前記仮固定部は、前記壁下地に対して前記固定片を上下方向に位置調整可能な位置調整部と、前記位置調整部に対して前記仮固定用の固定具を導入可能な導入部と、を有する。
【０００８】
本発明の一態様に係る施工部材の固定方法は、前記施工部材を前記壁下地に固定する方法であって、前記壁下地に固定された前記仮固定用の固定具を前記導入部から前記位置調整部に導入する工程と、前記仮固定用の固定具が通された前記固定片の上下方向のいずれかの端部を、前記壁下地に予め付された位置決め用のマークに合わせて前記仮固定部を仮固定する工程と、前記仮固定された前記固定片を本固定用の固定具で本固定する工程と、を含む。
【発明の効果】
【０００９】
本発明の上記態様によれば、施工部材を施工する際に、固定具を落下させにくくできる。
【図面の簡単な説明】
【００１０】
【図１】図１Ａは、本発明の一実施形態に係る施工部材の第１例を示す正面図である。図１Ｂは、図１ＡのＡ−Ａ線断面図である。
【図２】図２Ａ〜図２Ｃは、図１Ａの施工部材を壁下地に仮固定するまでの各工程を概略で示す断面図である。
【図３】図３は、図１Ａの施工部材を壁下地に本固定させた態様を示す概念図である。
【図４】図４Ａは、本発明の一実施形態に係る施工部材の第２例を示す正面図である。図４Ｂは、図４ＡのＢ−Ｂ線断面図である。図４Ｃは、図４ＡのＣ−Ｃ線断面図である。
【図５】図５Ａ〜図５Ｄは、図４Ａの施工部材を壁下地に本固定するまでの各工程を概略で示す断面図である。
【図６】図６は、本発明の一実施形態に係る施工部材の第３例を示す正面図である。
【図７】図７は、本発明の一実施形態に係る施工部材の第４例の一部を示す正面図である。
【図８】図８Ａ及び図８Ｂは、本発明の一実施形態に係る施工部材の第５例の一部を示すと共に、この施工部材を壁下地に仮固定した態様を示す正面図である。
【図９】図９は、本発明の一実施形態に係る施工部材の第６例を示す斜視図である。
【図１０】図１０Ａ〜図１０Ｃは、図９の施工部材を壁下地に仮固定するまでの各工程を概略で示す断面図である。
【図１１】図１１は、図９の施工部材を壁下地に本固定させた態様を示す概念図である。
【図１２】図１２は、本発明の一実施形態に係る壁構造を示す概念図である。
【発明を実施するための形態】
【００１１】
以下、本発明を実施するための形態を説明する。
【００１２】
（概要）
施工部材１は、壁材４の下端側で、かつ壁材４の屋内側にある壁下地５に固定される部材である（例えば、図１２参照）。このような施工部材１は、壁下地５の上下方向と直交する左右方向に沿って配置される。このため、施工部材１の上下方向Ｙは、壁下地５の上下方向により規定される。また、施工部材１の左右方向Ｘは、壁下地５の左右方向により規定される。
【００１３】
また、施工部材１は、金属製の板材を屈曲させるようにして形成され、図１Ａのように、固定片２と、固定片２の下端に接続している部材機能部３とを備える。部材機能部３は、図１２のような壁構造において所定の機能を有する部位である。施工部材１が壁材設置用のスタータ１ａである場合、部材機能部３は、固定片２が壁下地５に固定された状態で、壁下地５に設置される壁材４を下方から支持する機能を有する。また、施工部材１が水切り１ｂである場合、部材機能部３は、壁材４の屋外側面を伝った雨水等の水滴を、壁材４の屋内側へ入りにくくする機能を有する。
【００１４】
固定片２は、壁下地５に固定される左右方向Ｘに延びた長尺状のものであり、壁下地５の設置面と接するようにして形成された部位である。また、固定片２は、図１Ａのように、仮固定部２１を備える。仮固定部２１は、壁下地５に固定された仮固定用の固定具６１で仮固定されるものであり、図１Ａのように、位置調整部２１２と、導入部２１１と、を備える。位置調整部２１２は、壁下地５に対して固定片２を上下方向Ｙに位置調整可能にする部位である。導入部２１１は、位置調整部２１２に対して固定具６１を導入可能にする部位である。
【００１５】
固定片２が位置調整部２１２と、導入部２１１とを備えることで、施工部材１を施工する際に、特に仮固定部２１を仮固定する際に、固定具６１を落下させにくくすると共に、固定具６１を壁下地５に取り付けた状態で固定片２を上下方向Ｙに容易に位置調整できる。
【００１６】
また、図４Ｂのように、仮固定部２１は、固定具６１に引っ掛け可能な引っ掛け部２１３を有しうる。引っ掛け部２１３は仮固定部２１の上端にある。この場合、仮固定の際に、引っ掛け部２１３を固定具６１に一旦引っ掛けて、施工部材１の特定の部位（例えば、固定片２の上端）を位置決めするための位置決め用のマーク７（例えば、図３参照）を視認できる。しかも、マーク７を視認しながら固定片２を上下方向Ｙに沿って位置調整できるため、マーク７に合わせて固定片２が壁下地５に固定されやすくなり、施工部材１の施工性が向上しやすくなる。
【００１７】
以下、施工部材１、及び施工部材１の固定方法を、第１〜第６実施形態で具体的に説明する。
【００１８】
（第１実施形態）
＜施工部材＞
まず、第１実施形態に係る施工部材１を、図１Ａ〜図１Ｂ、及び図１２を参照して説明する。
【００１９】
本実施形態に係る施工部材１は、図１Ａのようなスタータ１ａであって、固定片２と、固定片２の下端に接続している部材機能部３とを備える。
【００２０】
固定片２は、壁下地５に固定される左右方向Ｘに延びた長尺状のものであり、壁下地５の設置面と接するようにして形成され、施工部材１を壁下地５に設置する部位である。固定片２は、複数の仮固定部２１と、複数の本固定部２２と、を備える。
【００２１】
仮固定部２１は、壁下地５に取り付けられた仮固定用の固定具６１で仮固定される部位であり、本実施形態では、上仮固定部２４である。
【００２２】
上仮固定部２４は、導入部２１１である上導入部２４１と、位置調整部２１２である位置調整部２４２とを備える。
【００２３】
上導入部２４１は、位置調整部２４２に対して固定具６１を導入可能な部位であって、固定片２の上端に開口する。上導入部２４１は、固定具６１を位置調整部２４２の内側に導入する上仮固定部２４の入り口である。また、上導入部２４１は、固定片２の上端に位置し、かつ固定片２の上端が途中で途切れるようにして形成されている。
【００２４】
位置調整部２４２は、固定片２の上下方向Ｙに沿って細長く、壁下地５に取り付けられた仮固定用の固定具６１に対して固定片２を上下方向Ｙに位置調整可能にする。位置調整部２４２は、固定片２を前後方向に貫通し、上導入部２４１と連続する。このため、固定片２を位置調整する際、固定具６１の軸は、施工部材１を正面から見た場合（以下、正面視という）、位置調整部２４２の内側に配置される。
【００２５】
上仮固定部２４の、正面視における形状は、下端が下方に凸となる円弧状となったスリット等で例示される。このスリットは上下方向Ｙに沿って細長い。また、上仮固定部２４は、固定片２の上端を切欠いて下方に延びる切欠きである。
【００２６】
上仮固定部２４が上導入部２４１と位置調整部２４２とを備えることで、上仮固定部２４を仮固定する際に、仮固定用の固定具６１を落下させにくくすると共に、固定具６１を壁下地５に取り付けた状態で固定片２を上下方向Ｙに容易に位置調整できる。しかも、上導入部２４１が固定片２の上端に開口することで、固定片２の上端又は下端を位置決めする位置決め用のマーク７の下方で施工部材１を固定する際に、マーク７を上仮固定部２４を通して視認しながら固定片２を上下方向Ｙに沿って位置調整できる。これにより、マーク７に合わせて固定片２が壁下地５に固定されやすくなり、施工部材１の施工性が向上しやすくなる。
【００２７】
ここで「位置決め用のマーク７に合わせる」とは、固定片２の上端又は下端をマーク７に厳密に合わせることだけでなく、マーク７を基準にして固定片２の上端又は下端の位置を調整することを意味する。
【００２８】
本実施形態では、施工部材１を位置調整する前、固定具６１は壁下地５に予め取り付けられている。このとき、固定具６１は、その頭部が壁下地５から離れており、ぐらつかないようにして壁下地５に取り付けられている。これにより、固定具６１を壁下地５に予め取り付けた状態で、固定具６１の軸を、上導入部２４１を通して位置調整部２４２に導入することができる。従って、固定具６１を壁下地５に取り付ける際に、施工者が片手で施工部材１を支えなくてもよくなり、固定具６１を落下させにくくできる。また、固定具６１の導入後、固定具６１の軸が位置調整部２４２に導入された状態で、固定片２を上下方向Ｙに沿って位置調整できる。固定片２の位置調整後、固定具６１を壁下地５の厚みに沿って更に打ち込むことで、施工部材１を壁下地５に仮固定することができる。
【００２９】
また、上仮固定部２４の幅は、固定具６１の頭部の直径よりも小さく、固定具６１の軸の直径よりも大きい。
【００３０】
本実施形態の施工部材１では、複数の上仮固定部２４が、左右方向Ｘに沿って間隔を空けて形成されている。このため、固定片２が複数の固定具６１で壁下地５に仮固定されるため、位置決め用のマーク７に対して固定片２を固定しやすくなり、固定片２の位置決め精度が向上しやすくなる。
【００３１】
また、施工部材１において、固定片２の左右方向Ｘの両端部の各々に、上仮固定部２４が形成されている。このため、固定片２の両端部で上仮固定部２４を固定具６１により仮固定できることから、固定片２を壁下地５に固定しやすくなると共に、長尺な固定片２の長手方向両端で上下方向に位置調整可能となり、位置精度を高めることができる。また、上仮固定部２４は、固定片２の両端部だけでなく、固定片２の、左右方向Ｘにおける中央部の上端に更に１個または複数形成されていてもよい。
【００３２】
ここで、「両端部」は、固定片２の両端のみではなく、固定片２の両端と、この両端から左右方向Ｘにおける固定片２の中央に向かって離れた部分との間に形成される領域である。また、「中央部」は、左右方向Ｘにおいて両端部の間に形成された領域である。
【００３３】
本固定部２２は、本固定用の固定具６２により壁下地５に取り付けられる部位である。本固定部２２は、上仮固定部２４とは異なる位置にある。また、本固定部２２は、固定片２の左右方向Ｘに沿って間隔を空けて設けられ、かつ固定片２の上端と下端との間に設けられている。本固定部２２は、貫通孔、及び貫通孔形成予定部等で例示される。貫通孔は、固定片２を前後方向に貫通する。貫通孔形成予定部は、施工現場で貫通孔を形成するための位置を示すものであり、罫書き線で示された部分等で例示される。また、貫通孔形成予定部は、固定片２の厚みよりも薄くてもよく、或いは固定片２の厚みと同じであってもよい。固定片２が本固定部２２として貫通孔形成予定部を備える場合、施工現場等で、貫通孔形成予定部の位置で貫通孔を形成する。この貫通孔形成予定部に形成される貫通孔は、本固定用の固定具６２での固定前に形成されてもよく、または、この固定具６２での固定と同時に形成されてもよい。
【００３４】
施工部材１の工場出荷時に、固定片２が本固定部２２を備えない場合、施工現場等で、例えば壁下地５における胴縁の配置位置に合わせた位置に、ドリル等の任意の穴空け工具で貫通孔を固定片２に形成することができる。このようにして固定片２に形成された貫通孔を、本実施形態では、本固定部２２とする。
【００３５】
また、本実施形態では、固定具６１により上仮固定部２４が仮固定された後、本固定部２２を固定具６２により壁下地５に固定することで、固定片２を壁下地５に本固定することができる。
【００３６】
ここで、「仮固定」とは、施工部材１をマーク７に沿って施工する際に、施工者が片手で施工部材１を支えなくてもよい程度に、壁下地５に取り付けられた固定具６１で仮固定部２１（例えば、上仮固定部２４）が固定されることを意味する。仮固定用の固定具６１が例えばネジの場合、ネジの頭部と壁下地５との間にわずかに隙間が形成された状態で、この隙間に仮固定部２１の周囲部分が挟まれた状態を意味する。また、「本固定」とは、仮固定後に、固定具６２で本固定部２２が壁下地５に固定されることを意味する。
【００３７】
また、固定片２は、凸部２３を更に備える。凸部２３は、固定片２の上端と下端との間にあり、かつ固定片２の上端と下端とから離れた位置にある。また、凸部２３は、壁材４の裏面に向かって突出する構造を有する。固定片２が凸部２３を備えることで、壁材４が外壁材である場合に、凸部２３は、外壁材と壁下地５との間に配置されるため、雨風等による水滴を外壁材と壁下地５との間に入り込ませにくくすることができる。このような凸部２３は、左右方向Ｘに沿う固定片２の全長に連続的に形成されてもよく、或いは左右方向Ｘにおいて途中で途切れるようにして形成されてもよい。凸部２３が途中で途切れる場合、固定片２は、複数の凸部を備える。
【００３８】
また、図１Ｂの例では、凸部２３は、断面横Ｖ字状となるように形成されている。しかし、凸部２３の形状は、横Ｖ字状に限定されない。凸部２３の形状の他例として、コ字状、Ｕ字状、Ｃ字状等の各種断面形状が挙げられる。
【００３９】
また、位置調整部２４２は、固定片２の上端と凸部２３の上端との間に形成されている。位置調整部２４２は、具体的には、凸部２３の上方にある。すなわち、位置調整部２４２は、凸部２３と交差していない。
【００４０】
本固定部２２は、固定片２の上端と凸部２３の上端との間に設けられている。
【００４１】
本実施形態に係る施工部材１は、上記の通り、スタータ１ａである。このため、固定具６１を壁下地５に取り付けた状態でスタータ１ａを容易に位置調整できることから、位置決め用のマーク７に沿ってスタータ１ａを精度よく施工することができる。これにより、スタータ１ａで支えられた壁材４で位置ずれが生じにくくなる。
【００４２】
部材機能部３は、固定片２の下端から壁材４側に延出した構造を有する。
【００４３】
部材機能部３は、支持部３１を備える。支持部３１は、例えば、最下段の壁材４を、その下端側から支えるようにして構成されている（図１２参照）。
【００４４】
支持部３１は、支持片３１ａと、掛け止め片３１ｂと、複数の通孔３１ｃとを備える（図１Ａ及び図１Ｂ参照）。
【００４５】
支持片３１ａは、壁材４の下端を支持する部位であって、固定片２の下端から壁材４側に延出した構造を有する。支持片３１ａにおいて、壁材４側へ延出する長さは、壁材４の厚み、及び壁材４と壁下地５との間の距離に応じて任意に設定できる。
【００４６】
通孔３１ｃは、屋外空間と、壁材４と壁下地５との間の内部空間とが通じるようにして形成された孔である。壁材４が外壁材である場合、支持部３１が通孔３１ｃを備えることで、壁材４と壁下地５との間の内部空間に雨風等による水滴が入り込んだとしても、この水滴を通孔３１ｃから排水しやすくすることができる。また、通孔３１ｃは、晴天時に、屋外空間と、壁材４と壁下地５との間の内部空間との通気を可能にするため、この内部空間の湿度を低減しやすくすることもできる。このような通孔３１ｃは、少なくとも支持片３１ａに設けられる。例えば、通孔３１ｃは、支持片３１ａと固定片２の下部とにまたがって設けられる。通孔３１ｃは、その目的を達成できれば、任意の形状を採用できる。通孔３１ｃの形状として、例えば、円形、楕円形、正方形、長方形、及び三角形が挙げられる。
【００４７】
掛け止め片３１ｂは、図１２に示すように壁材４の下端に形成された凹溝４１を掛け止める部位であって、支持片３１ａの先端から更に壁材４側に延出すると共に、凹溝４１に向かって上方へ傾斜する構造を有する。
【００４８】
壁下地５は、壁材４の裏面側にある構造体である。壁下地５は、例えば、胴縁、胴つなぎ、防水シート、土台、柱、及び間柱を含む。
【００４９】
壁材４の一例は、外壁材である。本実施形態では、外壁材に限らず、壁材４は内壁材であってもよい。
【００５０】
本実施形態では、固定具６１は、任意に選択されるが、ネジ、釘、及びリベット等で例示される。
【００５１】
本固定用の固定具６２は、任意に選択されるが、ネジ、釘、及びリベット等で例示される。固定具６２は、仮固定用の固定具６１と同じものであってもよい。
【００５２】
また、本実施形態の施工部材１は、上記の通り、長尺の部材であるため、施工現場等で任意の長さに切断されてもよい。但し、仮固定部２１（上仮固定部２４）は、施工部材１の切断個所を示す部位ではない。
【００５３】
＜施工部材の固定方法＞
次に本実施形態に係る施工部材１の固定方法を、図２Ａ〜図２Ｃ、及び図３を参照して説明する。本固定方法は、壁下地５に施工部材１を固定する方法であるため、施工部材１の具体的な説明を参照することができる。
【００５４】
本固定方法は、準備工程と、取付け工程と、導入工程と、仮固定工程と、本固定工程とを含む（例えば、図２Ａ〜図２Ｃ、及び図３）。
【００５５】
準備工程は、施工部材１等を用意する工程である。準備工程の際、施工部材１は、切断工具で任意の長さに切断されてもよい。また、施工部材１が本固定部２２として貫通孔を備えない場合、施工現場等で、穴空け工具で固定片２を貫通させた本固定部２２を形成してもよい。切断工具として、例えばダイヤモンドカッターが挙げられる。穴空け工具として、例えば錐、及びドリルが挙げられる。
【００５６】
取付け工程は、図２Ａのように、壁下地５に仮固定用の固定具６１を取り付ける工程である。本実施形態では、取付け工程の前に、固定片２の上端又は下端を位置決めするための位置決め用のマーク（例えば、墨出し線）７を壁下地５に付ける。例えば、マーク７は、壁下地５に対して設計上正しい位置に施工部材１が固定されたときの固定片２の上端に対応する箇所に付けられる。その後、マーク７から離れた位置（例えば、マーク７の下方）で固定具６１が壁下地５に取り付けられる。このとき、固定具６１は、その頭部が壁下地５から離れており、ぐらつかないようにして壁下地５に取り付けられる。取付け工程後、導入工程が行われる。
【００５７】
導入工程は、図２Ｂのように、壁下地５に固定された固定具６１を導入部２１１から位置調整部２１２に導入する工程である。具体的には、壁下地５の上下方向Ｙのうち、固定具６１の下方に施工部材１を配置し、施工部材１の上方から固定具６１の軸を上導入部２４１に通して位置調整部２４２に導入する。導入工程後、仮固定工程が行われる。
【００５８】
仮固定工程は、固定具６１が通された固定片２の上下方向Ｙのいずれかの端部を、壁下地５に予め付された位置決め用のマーク７に合わせて仮固定部２１を仮固定する工程である（図２Ｃ参照）。仮固定工程の際、固定具６１に位置調整部２１２の縁を沿わせて固定片２を移動させる。そして、固定片２の端部をマーク７に合わせる。マーク７が施工部材１の上方にある場合、固定片２の上端をマーク７に合わせる。そして、固定片２の上端をマーク７に合わせた後、固定具６１を更に打ち込むことで、仮固定部２１は固定具６１により壁下地５に仮固定される。そして、仮固定工程後、本固定工程が行われる。
【００５９】
本固定工程は、図３のように、本固定用の固定具６２で本固定部２２を本固定することにより固定片２を壁下地５に固定する工程である。
【００６０】
本実施形態では、施工部材１はスタータ１ａであるため、スタータ１ａは壁下地５の胴縁５ａに固定される。胴縁５ａは、長尺の角材であり、主に壁材４の長手方向と交差するようにして配置される。図２Ａ〜図２Ｃの例では、胴縁５ａは縦胴縁である。なお、壁材４の施工方法によっては、胴縁５ａは横胴縁であってもよい。
【００６１】
本固定方法では、位置決め用のマーク７は、壁下地５の、胴縁５ａ、又は防水シート５ｃに付けられる。
【００６２】
スタータ１ａの仮固定に用いられる固定具６１は、スタータ仮固定用の固定具６１ａである。固定具６１ａは、その目的を達成できれば、具体的に限定されない。固定具６１ａとして、例えば、ネジ、釘、及びリベットが挙げられる。
【００６３】
スタータ１ａの本固定に用いられる固定具６２は、スタータ本固定用の固定具６２ａである。固定具６２ａは、その目的を達成できれば、具体的に限定されない。固定具６２ａとして、例えば、ネジ、釘、及びリベットが挙げられる。固定具６２ａは、スタータ仮固定用の固定具６１ａと同じものであってもよい。
【００６４】
（第２実施形態）
＜施工部材＞
次に、第２実施形態に係る施工部材１を、図４Ａ〜図４Ｃを参照して説明する。本実施形態では、第１実施形態と共通する構成に対し、図面に同じ符号を付して説明を省略する。
【００６５】
本実施形態に係る施工部材１は、図４Ａのように、複数の下仮固定部２５を備える。下仮固定部２５は、仮固定部２１である。
【００６６】
下仮固定部２５は、導入部２１１である下導入部２５１と、位置調整部２１２である位置調整部２５２と、引っ掛け部２１３である引っ掛け部２５３とを備える。引っ掛け部２５３は、下仮固定部２５の上端にある。
【００６７】
下導入部２５１は、位置調整部２５２に対して固定具６１を導入可能な部位であって、固定片２の下端に開口する。下導入部２５１は、固定具６１を位置調整部２５２の内側に導入する上仮固定部２４の入り口である。また、下導入部２５１は、固定片２の下端に位置し、かつ固定片２の下端が途中で途切れるようにして形成されている。
【００６８】
位置調整部２５２は、固定片２の上下方向Ｙに沿って細長く、壁下地５に取り付けられた仮固定用の固定具６１に対して固定片２を上下方向Ｙに位置調整可能にする。位置調整部２５２は、固定片２を貫通し、下導入部２５１に接続する。
【００６９】
下仮固定部２５の、正面視における形状は、上端が上方に凸となる円弧状となったスリット等で例示される。このスリットは上下方向Ｙに沿って細長い。また、下仮固定部２５は、固定片２の下端を切欠いて上方に延びる切欠きである。
【００７０】
下仮固定部２５が下導入部２５１と位置調整部２５２とを備えることで、仮固定用の固定具６１を壁下地５に予め取り付けた状態で、固定具６１の軸を、下導入部２５１を通して位置調整部２５２に導入することができる。従って、固定具６１を壁下地５に取り付ける際に、施工者が片手で施工部材１を支えなくてもよくなり、固定具６１を落下させにくくできる。また、固定具６１の導入後、固定具６１の軸が位置調整部２５２に導入された状態で、固定片２を上下方向Ｙに容易に位置調整できる。
【００７１】
また、下仮固定部２５が引っ掛け部２５３を備えることで、仮固定の際に、引っ掛け部２５３を固定具６１に一旦引っ掛けて、マーク７を視認しながら固定片２を位置調整できる。これにより、マーク７に合わせて固定片２が壁下地５に固定されやすくなり、施工部材１の施工性が向上しやすくなる。
【００７２】
本実施形態において、下導入部２５１の一例は、大穴である。この大穴は、平面視で、仮固定用の固定具６１の頭部よりも大きい。また、位置調整部２５２の幅は固定具６１の頭部の直径よりも小さく、固定具６１の軸の直径よりも大きい。このため、固定片２を位置調整する際、下導入部２５１を通った固定具６１の軸は、施工部材１の正面視で、位置調整部２５２の内側に配置できる。すなわち、壁下地５に取り付けられた固定具６１のうち、頭部を下導入部２５１に通して、軸を位置調整部２５２に導入することができる。
【００７３】
下導入部２５１が固定具６１の頭部の直径よりも大きいことで、施工部材１の設置後、下導入部２５１により、屋外空間と、壁材４と壁下地５との間の内部空間とが通じることができる。このため、下導入部２５１は、通孔３１ｃと同様の機能を有することができる。施工部材１が下導入部２５１を備える場合、施工部材１は通孔３１ｃを備えなくてもよい。
【００７４】
また、下仮固定部２５は、施工部材１の展開図において、例えば、ダルマ穴である。
【００７５】
本実施形態の施工部材１では、複数の下仮固定部２５が、固定片２の左右方向Ｘに沿って間隔を空けて形成されている。これにより、固定片２が複数の固定具６１で壁下地５に仮固定されるため、位置決め用のマーク７に対して固定片２を固定しやすくなり、固定片２の位置決め精度が向上しやすくなる。
【００７６】
施工部材１において、固定片２の左右方向Ｘの両端部の各々に、下仮固定部２５が形成されている。このため、固定片２の両端部で下仮固定部２５を固定具６１により仮固定できることから、固定片２を壁下地５に固定しやすくなる。また、下仮固定部２５は、固定片２の両端部だけでなく、固定片２の、左右方向Ｘにおける中央部の下端に更に１個または複数形成されていてもよい。
【００７７】
本実施形態の施工部材１は、左右方向Ｘに沿って長尺の部材であるため、施工現場等で任意の長さに切断されてもよい。但し、仮固定部２１（下仮固定部２５）は、施工部材１の切断個所を示す部位ではない。
【００７８】
施工部材１はスタータ１ａである。このため、固定具６１を壁下地５に取り付けた状態でスタータ１ａを容易に位置調整できることから、位置決め用のマーク７に沿ってスタータ１ａを精度よく施工することができる。これにより、スタータ１ａで支えられた壁材４で位置ずれが生じにくくなる。
【００７９】
＜施工部材の固定方法＞
次に本実施形態に係る施工部材１の固定方法を、図５Ａ〜図５Ｄを参照して説明する。本固定方法において、第１実施形態と共通する構成は、図面に同じ符号を付して説明を省略する。
【００８０】
導入工程では、図５Ａのように、壁下地５の上下方向Ｙのうち、固定具６１の上方に施工部材１を配置し、施工部材１の下方から固定具６１の頭部及び軸を下導入部２５１に通して固定具６１の軸を位置調整部２５２に導入する。図５Ａ〜図５Ｄの例では、導入工程前に、位置決め用のマーク７は、壁下地５に対して設計上正しい位置に施工部材１が固定されたときの固定片２の上端に対応する箇所に付けられる。
【００８１】
仮固定工程では、固定具６１に位置調整部２５２の縁を沿わせて固定片２を上下方向Ｙに移動させる。そして、固定片２の上端をマーク７に合せる（図５Ｂ参照）。その後、固定具６１ａを更に打ち込むことで下仮固定部２５が固定具６１ａで仮固定される（図５Ｃ参照）。下仮固定部２５が仮固定される前、引っ掛け部２５３を固定具６１ａに一旦引っ掛けてから、固定片２を移動させてもよい。
【００８２】
本固定工程では、図５Ｄのように、本固定用の固定具６２ａで本固定部２２を本固定することにより固定片２が壁下地５に固定される。
【００８３】
（第３実施形態）
次に、第３実施形態に係る施工部材１を、図６を参照して説明する。本実施形態では、第１及び第２実施形態と共通する構成に対し、図面に同じ符号を付して説明を省略する。
【００８４】
本実施形態に係る施工部材１は、複数の仮固定部２１を備える。仮固定部２１は、上仮固定部２４と、下仮固定部２５とで構成される。これにより、施工部材１の設置個所に応じて、上仮固定部２４及び下仮固定部２５のうちから一方を選択できる。しかも、施工部材１が上仮固定部２４を備えることで、位置決め用のマーク７の下方に施工部材１を固定する場合に、マーク７を上仮固定部２４を通して視認しながら固定片２を上下方向Ｙに沿って位置調整できる。これにより、マーク７に合わせて固定片２が壁下地５に固定されやすくなり、施工部材１の施工性が向上しやすくなる。また、マーク７の下方で、かつ下仮固定部２５を固定具６１で仮固定する場合には、引っ掛け部２５３を固定具６１に一旦引っ掛けて、マーク７を上仮固定部２４を通して視認しながら固定片２を上下方向Ｙに沿って位置調整できる。
【００８５】
本実施形態の施工部材１では、固定片２の左右方向Ｘの両端部の各々に、上仮固定部２４と、下仮固定部２５とが形成されている。これらの上仮固定部２４及び下仮固定部２５は、左右方向Ｘにおいて異なる位置にある。すなわち、上下方向Ｙに沿う一直線上に、上仮固定部２４と、下仮固定部２５とが形成されていない。
【００８６】
また、上仮固定部２４は、固定片２の両端部だけでなく、固定片２の、左右方向Ｘにおける中央部の上端に更に１個または複数形成されていてもよい。下仮固定部２５は、固定片２の両端部だけでなく、固定片２の、左右方向Ｘにおける中央部の下端に更に１個または複数形成されていてもよい。この場合であっても、上仮固定部２４及び下仮固定部２５は、左右方向Ｘにおいて異なる位置にある。
【００８７】
本実施形態の施工部材１は、左右方向Ｘに沿って長尺の部材であるため、施工現場等で任意の長さに切断されてもよい。但し、仮固定部２１（上仮固定部２４及び下仮固定部２５）は、施工部材１の切断個所を示す部位ではない。
【００８８】
施工部材１はスタータ１ａである。このため、固定具６１を壁下地５に取り付けた状態でスタータ１ａを容易に位置調整できることから、位置決め用のマーク７に沿ってスタータ１ａを精度よく施工することができる。これにより、スタータ１ａで支えられた壁材４で位置ずれが生じにくくなる。
【００８９】
また、本実施形態に係る施工部材１を壁下地５に施工するにあたって、導入工程において、壁下地５の上下方向Ｙのうち、施工部材１の上方から固定具６１の軸を位置調整部２４２に導入するか、或いは施工部材１の下方から固定具６１の軸を位置調整部２５２に導入する。
【００９０】
（第４実施形態）
次に、第４実施形態に係る施工部材１を、図７を参照して説明する。本実施形態では、第１〜第３実施形態と共通する構成に対し、図面に同じ符号を付して説明を省略する。
【００９１】
本実施形態に係る施工部材１は、仮固定部２１である上仮固定部２６を備える。
【００９２】
上仮固定部２６は、導入部２１１である上導入部２６１と、位置調整部２１２である位置調整部２６２と、を備える。
【００９３】
上導入部２６１は、位置調整部２６２に対して固定具６１を導入可能な部位であって、固定片２の上端に開口する。上導入部２６１は、固定具６１を位置調整部２６２の内側に導入する上仮固定部２６の入り口である。また、上導入部２６１は、固定片２の上端に位置し、かつ固定片２の上端が途中で途切れるようにして形成されている。
【００９４】
位置調整部２６２は、固定片２の上下方向Ｙに沿って細長く、壁下地５に取り付けられた仮固定用の固定具６１に対して固定片２を上下方向Ｙに位置調整可能にする。位置調整部２６２は、固定片２を貫通し、上導入部２６１に接続する。このため、固定片２を位置調整する際、固定具６１の軸は、施工部材１の正面視で、位置調整部２６２の内側に配置される。
【００９５】
上仮固定部２６が上導入部２６１を備えることで、位置決め用のマーク７の下方に施工部材１を施工する場合に、マーク７を上仮固定部２６を通して視認しながら固定片２を上下方向Ｙに沿って位置調整できる。これにより、マーク７に合わせて固定片２が壁下地５に固定されやすくなり、施工部材１の施工性が向上しやすくなる。
【００９６】
また、上仮固定部２６が上導入部２６１と、位置調整部２６２と、を備えることで、仮固定用の固定具６１を壁下地５に予め取り付けた状態で、固定具６１の軸を、上導入部２６１を通して位置調整部２６２に導入することができる。従って、固定具６１を壁下地５に取り付ける際に、施工者が片手で施工部材１を支えなくてもよくなり、固定具６１を落下させにくくできる。また、固定具６１の導入後、固定具６１の軸が位置調整部２６２に導入された状態で、固定片２を上下方向Ｙに沿って位置調整できる。
【００９７】
位置調整部２６２は、細隙部２６５と、接続部２１４と、空所２６６とを備える。細隙部２６５は、上導入部２６１に接続する。接続部２１４は、細隙部２６５と空所２６６とに接続する。接続部２１４は、固定片２の上端と下端との間にあり、かつ固定片２の上端と下端とから離れた位置に設けられている。空所２６６は、固定片２の上端と下端との間にあり、かつ固定片２の上端と下端とから離れた位置に設けられている。細隙部２６５及び空所２６６は、それぞれ上下方向Ｙに沿って細長い部位である。
【００９８】
細隙部２６５、接続部２１４、及び空所２６６は幅を有する。細隙部２６５、接続部２１４、及び空所２６６の各々の幅方向は、固定具６１の導入方向と直交する。細隙部２６５、接続部２１４、及び空所２６６の幅は、それぞれ固定具６１の頭部の直径よりも小さく、軸の直径よりも大きい。
【００９９】
位置調整部２６２が細隙部２６５と空所２６６と備えることで、仮固定の際、壁下地５に予め取り付けられた仮固定用の固定具６１を、細隙部２６５又は空所２６６の内側に導入した状態で、固定片２を上下方向Ｙに位置調整できる。そして、固定片２の位置調整後、細隙部２６５又は空所２６６の、左右方向Ｘにおける両端が固定具６１で仮固定される。
【０１００】
位置調整部２６２の正面視形状は、Ｊ字状で例示される（図７参照）。しかし、位置調整部２６２の正面視形状は、任意に変更でき、Ｈ字状、又はクランク状等であってもよい。
【０１０１】
上仮固定部２６は、引っ掛け部２１３である引っ掛け部２６７，２６８を更に備える。引っ掛け部２６７は、接続部２１４の上端に位置する。引っ掛け部２６８は、空所２６６の上端に位置する。
【０１０２】
上仮固定部２６が引っ掛け部２６７，２６８を備えることで、仮固定の際に、引っ掛け部２６７又は引っ掛け部２６８を固定具６１に一旦引っ掛けて、固定片２の上端又は下端を位置決めするための位置決め用のマーク７を視認しながら固定片２を上下方向Ｙに沿って位置調整できる。これにより、マーク７に合わせて固定片２が壁下地５に固定されやすくなり、施工部材１の施工性が向上しやすくなる。また、位置決め用のマーク７の下方で上仮固定部２６が固定具６１で仮固定される場合に、引っ掛け部２６７又は引っ掛け部２６８を固定具６１に一旦引っ掛けながら、マーク７を上仮固定部２６を通して視認できる。
【０１０３】
本実施形態に係る施工部材１では、第１又は第３実施形態の上仮固定部２４の代わりに、上仮固定部２６が形成されうる。また、上仮固定部２６は、左右方向Ｘに沿って間隔を空けて複数形成されうる。
【０１０４】
施工部材１において、固定片２の左右方向Ｘの両端部の各々に、上仮固定部２６が形成されうる。
【０１０５】
また、施工部材１は、左右方向Ｘに沿って長尺の部材であるため、施工現場等で任意の長さに切断されてもよい。但し、仮固定部２１（上仮固定部２６）は、施工部材１の切断個所を示す部位ではない。
【０１０６】
施工部材１は、スタータ１ａ、及び水切り１ｂのうちのいずれかであってもよい。
【０１０７】
また、本実施形態に係る施工部材１を壁下地５に施工するにあたって、導入工程において、壁下地５の上下方向Ｙのうち、施工部材１の上方から固定具６１の軸を上導入部２６１に通して細隙部２６５に導入する。また、必要に応じて、固定具６１の軸を、更に接続部２１４に導入するか、或いは接続部２１４を介して空所２６６に導入する。
【０１０８】
（第５実施形態）
次に、第５実施形態に係る施工部材１を、図８Ａ及び図８Ｂを参照して説明する。本実施形態では、第１実施形態と共通する構成に対し、図面に同じ符号を付して説明を省略する。
【０１０９】
本実施形態の施工部材１では、仮固定部２１である孔状仮固定部２７を備える。孔状仮固定部２７は、導入部２１１である導入部２７１と、位置調整部２１２である位置調整部２７２と、を備える。
【０１１０】
導入部２７１は、位置調整部２７２に対して固定具６１を導入可能な部位であって、固定片２を前後方向に貫通し、位置調整部２７２の上端又は下端に開口する。導入部２７１は、仮固定用の固定具６１を位置調整部２７２の内側に導入する孔状仮固定部２７の入り口である。
【０１１１】
位置調整部２７２は、固定片２の上下方向Ｙに沿って細長く、壁下地５に取り付けられた固定具６１に対して固定片２を上下方向Ｙに位置調整可能にする。位置調整部２７２は、固定片２を貫通し、導入部２７１に接続する。このため、固定片２を位置調整する際、固定具６１の軸は、施工部材１の正面視において、位置調整部２７２の内側に配置される。
【０１１２】
導入部２７１の一例は、大穴である。この大穴は、平面視で、仮固定用の固定具６１の頭部よりも大きい。このため、仮固定の際、壁下地５に予め取り付けられた固定具６１の頭部及び軸を導入部２７１に通すことができる。
【０１１３】
位置調整部２７２の一例は長穴である。この長穴の幅は、固定具６１の軸の直径よりも大きく、頭部の直径よりも小さい。このため、仮固定の際、導入部２７１を通った固定具６１の軸を位置調整部２７２に導入することができる。
【０１１４】
本実施形態では、孔状仮固定部２７の正面視形状は、例えばダルマ穴である。
【０１１５】
また、図８Ａのような孔状仮固定部２７の場合、位置調整部２７２は上下方向Ｙに沿って細長く、導入部２７１は位置調整部２７２の下端に開口している。
【０１１６】
図８Ｂのような孔状仮固定部２７の場合、位置調整部２７２は上下方向Ｙに沿って細長く、導入部２７１は位置調整部２７２の上端に開口している。
【０１１７】
孔状仮固定部２７が導入部２７１と位置調整部２７２とを備えることで、仮固定用の固定具６１を壁下地５に予め取り付けた状態で、固定具６１の軸を、導入部２７１を通して位置調整部２７２に導入することができる。従って、固定具６１を壁下地５に取り付ける際に、施工者が片手で施工部材１を支えなくてもよくなり、固定具６１を落下させにくくできる。また、固定具６１の導入後、固定具６１の軸が位置調整部２７２に導入された状態で、固定片２を上下方向Ｙに容易に位置調整できる。
【０１１８】
孔状仮固定部２７は、引っ掛け部２１３である引っ掛け部２７３を更に備える。引っ掛け部２７３は、孔状仮固定部２７の上端に位置する。
【０１１９】
図８Ａのような孔状仮固定部２７が引っ掛け部２７３を備える場合、引っ掛け部２７３は、位置調整部２７２の上端に位置する。
【０１２０】
図８Ｂのような孔状仮固定部２７が引っ掛け部２７３を備える場合、引っ掛け部２７３は導入部２７１の上端に位置する。
【０１２１】
孔状仮固定部２７が引っ掛け部２７３を備えることで、仮固定の際、引っ掛け部２７３を固定具６１に一旦引っ掛けて、固定片２を上下方向Ｙに沿って位置調整することで、固定片２の上端又は下端を位置決めするための位置決め用のマーク７に合せることができる。これにより、マーク７に合わせて固定片２が壁下地５に固定されやすくなり、施工部材１の施工性が向上しやすくなる。また、マーク７の下方で固定片２を固定具６１で仮固定する場合に、引っ掛け部２７３を固定具６１に一旦引っ掛けて、固定片２の上端とマーク７とを視認しながら固定片２を上下方向Ｙに沿って位置調整できる。これにより、マーク７に合わせて固定片２が壁下地５に固定されやすくなり、施工部材１の施工性が向上しやすくなる。
【０１２２】
本実施形態の施工部材１は、スタータ１ａ、及び水切り１ｂのうちのいずれかであってもよい。
【０１２３】
また、孔状仮固定部２７は、固定片２の上端と下端との間に形成されている。施工部材１が上述の凸部２３を備えるスタータ１ａである場合、孔状仮固定部２７は、好ましくは、固定片２の上端と凸部２３との間の部分、及び固定片２の下端と凸部２３との間の部分のうちの少なくとも一方に形成されている。また、孔状仮固定部２７は、固定片２の上端と下端とから離れた位置に形成されている。
【０１２４】
施工部材１では、孔状仮固定部２７は、固定片２の左右方向Ｘに沿って間隔を空けて複数形成されていてもよい。この場合、固定片２が複数の固定具６１で壁下地５に仮固定されるため、位置決め用のマーク７に対して固定片２を固定しやすくなり、固定片２の位置決め精度が向上しやすくなる。
【０１２５】
また、施工部材１において、好ましくは、固定片２の左右方向Ｘの両端部の各々に、孔状仮固定部２７が形成されている。この場合、固定片２の両端部で孔状仮固定部２７を仮固定用の固定具６１により仮固定できることから、固定片２を壁下地５に固定しやすくなる。
【０１２６】
また、本実施形態に係る態様は、施工部材１の目的に応じて、第１〜第４実施形態の態様と組み合わせてれてもよい。例えば、第１〜第４実施形態の固定片２が、本実施形態の孔状仮固定部２７を更に備えてもよい。また、本実施形態の孔状仮固定部２７は、位置調整部２７２の代わりに、第４実施形態に係る位置調整部２６２のような形状を有する位置調整部を備えてもよい。
【０１２７】
本実施形態に係る施工部材１を壁下地５に施工するにあたって、導入工程において、固定具６１の頭部を導入部２７１に通して固定具６１の軸を位置調整部２７２に導入する。
【０１２８】
（第６実施形態）
次に、第６実施形態に係る施工部材１を、図９を参照して説明する。本実施形態では、第１実施形態と共通する構成に対し、図面に同じ符号を付して説明を省略する。
【０１２９】
本実施形態に係る施工部材１は、水切り１ｂである。水切り１ｂは、部材機能部３である水切り機構３２を備える。
【０１３０】
本実施形態では、壁材４は外壁材であり、水切り機構３２は、例えば最下段の外壁材４の下端側に配置されている（図１２参照）。
【０１３１】
また、水切り機構３２は、図９のように、受け片３２ａと、水切り片３２ｂとを備える。
【０１３２】
受け片３２ａは、その上端が固定片２の下端に接続された部位であって、外壁材４の屋外側に向かって下り傾斜する構造を有する。受け片３２ａが下り傾斜することで、外壁材４上で流下した水滴は受け片３２ａで更に屋外側へ流下することができる。また、受け片３２ａの一部は、外壁材４よりも屋外で露出している（図１２参照）。
【０１３３】
水切り片３２ｂは、その上端が受け片３２ａの下端に接続された部位であって、外壁材４よりも屋外で下方へ垂下した構造を有する。これにより、受け片３２ａ上で流下した水滴を、水切り片３２ｂの垂下方向に沿って屋外に排水することができる。
【０１３４】
また、水切り機構３２は、水切り片３２ｂの下端から屋内側へ曲げられた返し片を更に備えてもよい。これにより、鼠、及び蜂等の小動物を水切り機構３２から侵入させにくくできる。
【０１３５】
また、水切り１ｂは、施工現場等で、任意の切断工具で切断されてもよい。但し、仮固定部２１（上仮固定部２４）は、水切り１ｂの切断個所を示す部位ではない。
【０１３６】
本実施形態において、水切り１ｂは、例えば壁下地５の土台５ｂに設置される。土台５ｂは、建物の基礎５ｄに沿って設置された長尺の角材である。土台５ｂは、例えば、木製である。
【０１３７】
本実施形態に係る水切り１ｂを壁下地５に施工するにあたって、取付け工程の前に、位置決め用のマーク７は、壁下地５に対して設計上正しい位置に施工部材１が固定されたときの固定片２の上端に対応する箇所に付けられる。取付け工程では、図１０Ａのように、上下方向Ｙのうち、マーク７の下方で、仮固定用の固定具６１ｂが土台５ｂに取り付けられる。導入工程では、図１０Ｂのように、固定具６１ｂの軸が上導入部２４１から位置調整部２４２に導入される。仮固定工程では、図１０Ｃのように、固定片２の上端をマーク７に合わせて上仮固定部２４を固定具６１ｂで土台５ｂに仮固定する。本固定工程では、図１１のように、本固定用の固定具６２ｂで本固定部２２を本固定することにより固定片２が土台５ｂに固定される。
【０１３８】
また、本実施形態では、取付け工程と導入工程との間の工程において、固定片２と土台５ｂとの間に介在するようにして防水両面テープを設けてもよい。
【０１３９】
水切り１ｂの仮固定に用いられる固定具６１は、水切り仮固定用の固定具６１ｂである。仮固定用の固定具６１ｂは、その目的を達成できれば、具体的に限定されない。固定具６１ｂとして、例えば、ネジ、釘、及びリベットが挙げられる。また、固定具６１ｂは、スタータ仮固定用の固定具６１ａと同じものであってもよく、又は異なるものであってもよい。
【０１４０】
水切り１ｂの本固定に用いられる固定具６２は、水切り本固定用の固定具６２ｂである。本固定用の固定具６２ｂは、その目的を達成できれば、具体的に限定されない。固定具６２ｂとして、例えば、ネジ、釘、及びリベットが挙げられる。固定具６２ｂは、水切り仮固定用の固定具６１ｂと同じものであってもよい。また、固定具６２ｂは、スタータ本固定用の固定具６２ａと同じものであってもよく、又は異なるものであってもよい。
【０１４１】
（まとめ）
上記説明の通り、第１態様は、施工部材（１）であって、壁下地（５）に固定される左右方向（Ｘ）に延びた長尺状の固定片（２）を備える。固定片（２）は、壁下地（５）に固定された仮固定用の固定具（６１）で仮固定される仮固定部（２１）を備える。仮固定部（２１）は、壁下地（５）に対して固定片（２）を上下方向（Ｙ）に位置調整可能な位置調整部（２１２）と、位置調整部（２１２）に対して仮固定用の固定具（６１）を導入可能な導入部（２１１）と、を有する。
【０１４２】
第１態様によれば、施工部材（１）を施工する際に、固定具（６１）を落下させにくくすると共に、固定具（６１）を壁下地（５）に取り付けた状態で固定片（２）を容易に位置調整できる。
【０１４３】
第２態様は、第１態様の施工部材（１）であって、仮固定部（２１）は、固定片（２）の上端に開口する上導入部（２４１）を有する上仮固定部（２４）と、固定片（２）の下端に開口する下導入部（２５１）を有する下仮固定部（２５）とを含む。
【０１４４】
第２態様によれば、壁下地（５）に予め付された位置決め用のマーク（７）の下方で、かつ下仮固定部（２５）を仮固定用の固定具（６１）で仮固定する場合には、下仮固定部（２５）の一部（例えば、引っ掛け部（２５３））を固定具（６１）に一旦引っ掛けて、位置決め用のマーク（７）を上仮固定部（２４）を通して視認しながら固定片（２）を上下方向（Ｙ）に沿って位置調整でき、これにより、マーク（７）に合わせて固定片（２）が壁下地５に固定されやすくなり、施工部材（１）の施工性が向上しやすくなる。
【０１４５】
第３態様は、第１態様又は第２態様の施工部材（１）であって、仮固定部（２１）は、左右方向（Ｘ）に間隔を空けて複数形成されている。
【０１４６】
第３態様によれば、固定片（２）が複数の固定具（６１）で壁下地（５）に仮固定されるため、壁下地（５）に予め付された位置決め用のマーク（７）に対して固定片（２）を固定しやすくなり、固定片（２）の位置決め精度が向上しやすくなる。
【０１４７】
第４態様は、第１〜第３態様のうちのいずれか１つの施工部材（１）であって、仮固定部（２１）は、仮固定用の固定具（６１）に引っ掛け可能な引っ掛け部（２１３）を有する。
【０１４８】
第４態様によれば、引っ掛け部（２１３）を固定具（６１）に一旦引っ掛けて、位置決め用のマーク（７）を視認しながら固定片（２）を上下方向（Ｙ）に沿って位置調整でき、これにより、施工部材（１）の施工性が向上しやすくなる。
【０１４９】
第５態様は、第１〜第４態様のうちのいずれか１つの施工部材（１）であって、施工部材（１）は、固定片（２）が壁下地（５）に固定された状態で、壁下地（５）に設置される壁材（４）を下方から支持する壁材設置用のスタータ（１ａ）である。
【０１５０】
第５態様によれば、仮固定用の固定具（６１）を壁下地（５）に取り付けた状態でスタータ（１ａ）を容易に位置調整でき、壁下地（５）に予め付された位置決め用のマーク（７）に沿ってスタータ（１ａ）を精度よく施工することができ、これにより、スタータ（１ａ）で支えられた壁材（４）で位置ずれが生じにくくなる。
【０１５１】
第６態様の施工部材の固定方法は、第１〜第５態様のうちのいずれか１つの施工部材（１）を壁下地（５）に固定する方法である。前記固定方法は、壁下地（５）に固定された仮固定用の固定具（６１）を導入部（２１１）から位置調整部（２１２）に導入する工程と、仮固定用の固定具（６１）が通された固定片（２）の上下方向（Ｙ）のいずれかの端部を、壁下地（５）に予め付された位置決め用のマーク（７）に合わせて仮固定部（２１）を仮固定する工程と、仮固定された固定片（２）を本固定用の固定具（６２）で本固定する工程と、を含む。
【０１５２】
第６態様によれば、施工部材（１）を施工する際に、固定具（６１）を落下させにくくすると共に、固定具（６１）を壁下地（５）に取り付けた状態で固定片（２）を容易に位置調整できる。
【符号の説明】
【０１５３】
１  施工部材
１ａ  壁材設置用のスタータ
２  固定片
２１  仮固定部
２４  上仮固定部
２５  下仮固定部
２１１  導入部
２４１  上導入部
２５１  下導入部
２１２  位置調整部
２１３  引っ掛け部
４  壁材
５  壁下地
６１  仮固定用の固定具
６２  本固定用の固定具
７  位置決め用のマーク
Ｘ  左右方向
Ｙ  上下方向
【図１】
2020051152.tif 000003
【図２】
2020051152.tif 000004
【図３】
2020051152.tif 000005
【図４】
2020051152.tif 000006
【図５】
2020051152.tif 000007
【図６】
2020051152.tif 000008
【図７】
2020051152.tif 000009
【図８】
2020051152.tif 000010
【図９】
2020051152.tif 000011
【図１０】
2020051152.tif 000012
【図１１】
2020051152.tif 000013
【図１２】
2020051152.tif 000014